(57)【要約】【課題】コマセカゴを水中で沈下させるときや、竿にシャクりという動作をさせるときなどに、コマセカゴがテンビンに絡まることを防止でき、また、コマセカゴが魚信のような紛らわしい反動を起こすのを防止して魚のアタリを感知しやすくすることができる釣仕掛用コマセカゴ一体型テンビンを提供する。【解決手段】テンビンの軸部の下端に連結部材を介さずにコマセカゴを接続して一体化する。そのコマセカゴはテンビンに対し回転自在とすることができる。また、テンビンのリング部とコマセカゴの天板部との間に球体やスプリングを介在させることができる。また、テンビンの軸部に補強線材を添設することができる。【選択図】        図１
2004187541.tif 000002
【特許請求の範囲】
【請求項１】
テンビンの軸部の下端に連結部材を介さずにコマセカゴが接続されて一体化されていることを特徴とする釣仕掛用コマセカゴ一体型テンビン。
【請求項２】
コマセカゴがテンビンに対し回転自在とされた請求項１記載の釣仕掛用コマセカゴ一体型テンビン。
【請求項３】
テンビンの軸部がコマセカゴの天板部を貫通し、その軸部の下端に形成されたリング部によりコマセカゴの天板部が掛止された請求項１又は２記載の釣仕掛用コマセカゴ一体型テンビン。
【請求項４】
テンビンのリング部とコマセカゴの天板部との間に球体が介在させられた請求項３記載の釣仕掛用コマセカゴ一体型テンビン。
【請求項５】
テンビンのリング部とコマセカゴの天板部との間にスプリングが介在させられた請求項３記載の釣仕掛用コマセカゴ一体型テンビン。
【請求項６】
テンビンの軸部に補強線材が添設された請求項１、２、３、又は４記載の釣仕掛用コマセカゴ一体型テンビン。
【発明の詳細な説明】
【０００１】
【発明が属する技術分野】
本発明は、釣仕掛用のテンビンとコマセカゴの構造に関する。
【０００２】
【従来の技術】
従来、テンビンとコマセカゴは別々に製造、販売されていて、使用者は、それらを購入してから、両者を接続して使用している。すなわち、図４に示すように、テンビン２０の軸部２１の下端と、コマセカゴ２２の上端にそれぞれ鎖状の連結部材２３，２４が取り付けられていて、それらを互いに接続していた。また、特許文献１にも、このような構造のものが記載されている。
【０００３】
【特許文献１】
登録実用新案第３０５９８５２号公報（図１）
【０００４】
上記のように、テンビ２０ンとコマセカゴ２２を連結部材２３，２４を介して接続すると、その連結部材２３，２４は鎖のようにある程度の長さを有することになるので、コマセカゴ２２を水中で沈下させるときや、竿にシャクりという下から上へ煽る動きを与えてコマセカゴ２２を揺らすことによりコマセカゴ２２の窓孔２５から撒き餌を水中へ放出させて魚を誘き寄せるときなどに、その連結部材２３，２４が揺れてコマセカゴ２２が大きく振れ、テンビン２０の腕部２６に絡まってしまうというトラブルが生じやすかった。
【０００５】
また、竿をしゃくった後でコマセカゴ２２が戻るときに、連結部材２３，２４があるためにコマセカゴ２２の戻りが少し遅れ、このコマセカゴ２２の戻り動作が魚信のような紛らわしい反動となるので、魚のアタリを正確に感知できないという問題もあった。
【０００６】
さらに、コマセカゴ２２が沈下して着底したときに、連結部材２３，２４があるためにコマセカゴ２２が横倒しやすく、根の荒い場所では、根に引っ掛かって破損したり、連結部材２３，２４が根に絡まる等の問題もあった。
【０００７】
【発明が解決しようとする課題】
本発明は上記の問題を解決すること、すなわち、コマセカゴを水中で沈下させるときや、竿にシャクりという動作をさせるときなどに、コマセカゴがテンビンに絡まることを防止でき、また、コマセカゴが魚信のような紛らわしい反動を起こすのを防止して魚のアタリを感知しやすくすることができ、また、コマセカゴが着底したときに根に引っ掛かって破損するのを防止できる等の効果がある釣仕掛用コマセカゴ一体型テンビンの提供を課題とする。
【０００８】
【課題を解決するための手段】
上記課題を解決するために、本発明の釣仕掛用コマセカゴ一体型テンビンは、テンビンの軸部の下端に連結部材を介さずにコマセカゴが接続されて一体化されていることを特徴とする、という構成にしたものである。
【０００９】
また、本発明の釣仕掛用コマセカゴ一体型テンビンは、コマセカゴがテンビンに対し回転自在とされた構成にすることができる。
【００１０】
また、本発明の釣仕掛用コマセカゴ一体型テンビンは、テンビンの軸部がコマセカゴの天板部を貫通し、その軸部の下端に形成されたリング部によりコマセカゴの天板部が掛止された構成にすることもできる。
【００１１】
また、本発明の釣仕掛用コマセカゴ一体型テンビンは、テンビンのリング部とコマセカゴの天板部との間に球体が介在するように構成することができる。
【００１２】
また、本発明の釣仕掛用コマセカゴ一体型テンビンは、テンビンのリング部とコマセカゴの天板部との間にスプリングが介在するように構成にすることができる。
【００１３】
また、本発明の釣仕掛用コマセカゴ一体型テンビンは、テンビンの軸部に補強線材が添設された構成にすることもできる。
【００１４】
【発明の実施の形態】
以下、図１乃至図３に示した実施例に基づき本発明の実施形態について説明する。まず、図１に示すように、テンビン１は、上下方向に真直な軸部２と、その軸部２から横方向へ湾曲しながら突出した腕部３とを有している。
【００１５】
軸部２の上端と下端にはそれぞれ正円状のリング部４，５を形成することができ、その上側のリング部４には連結具６を取り付けることができる。
【００１６】
テンビン１の素材は自由であるが、竿をしゃくるときなどにテンビン１にかかる抵抗でブレなどが生じないように、硬度及び剛性の高いステンレス等の使用が好ましい。
【００１７】
コマセカゴ７は、中空で、その内部に撒き餌を詰め込むことができ、又、周壁に窓孔８を穿設して、その窓孔８から撒き餌を少しづつ水中へ放出可能としている。なお、周壁には撒き餌を詰め込むための開口部を有し、その開口部には扉のように開閉自在な蓋９を取り付けている。
【００１８】
コマセカゴ７の素材は自由であり、ステンレス等の金属や、プラスチックなどで成形することができる。
【００１９】
コマセカゴ７は水中で自重により沈下するように、下端部にオモリ１０を取り付けることができる。又は、オモリ１０を取り付ける代わりに、コマセカゴ７自体を重い素材で形成することもできる。
【００２０】
コマセカゴ７はテンビン１の軸部２に対し連結部材を介さずに直に連結されている。すなわち、天板部１１の中心に孔１２を設け、その孔１２に上記テンビン１における軸部２の下端部を貫通させて、その軸部２の下端に形成した上記のリング部５により天板部１１を掛止している。
【００２１】
コマセカゴ７は軸部２に対し回転自在に連結されている。これにより、窓孔８から撒き餌をどの方向へも放出させることができる。なお、リング部５と天板部１１の間には回転を円滑にするために座金１３を介在させることができる。
【００２２】
コマセカゴ７をテンビン１の軸部２に対し、さらに回転しやすくするために、図２に示すように、軸部２の下端のリング部５とコマセカゴ７の天板部１１との間にベアリングの役割を果たすステンレスや真鍮製等の球体１４を介在させることもできる。
【００２３】
テンビン１の軸部２にコマセカゴ７を直に連結すると、コマセカゴ７にかかる水中での抵抗等がテンビン１の軸部２にも作用しやすくなるので、従来のように連結部材を介してテンビンとコマセカゴを連結した場合よりも、軸部２にかかる負荷が大きくなる。そこで、竿をしゃくる場合などにテンビン１の軸部２にかかる負荷を緩和するために、図３に示すように、軸部２の下端のリング部５とコマセカゴ７の天板部１１との間にスプリング１５を介在させることもできる。
【００２４】
また、テンビン１は１本の線材を曲げ加工して形成することにより、軸部２の上半部を２重構造にすることができるが、耐久性をさらに向上させるために、図１に示すように、ステンレス等の強度の高い補強線材１６を軸部２に添えることができる。そして、それらの外周部を糸、収縮チューブ、又はパイプなどの被覆部材１７で覆って一体的に圧着、固定することができる。
【００２５】
上記のように、テンビン１は、１本の線材を曲げ加工して形成することもできるが、軸部２と腕部３に異種、異号の素材を使用して形成することもできる。また、腕部３を軟質でチタン系などの形状記憶合金製とすることもできる。このようにすると、腕部を小さく変形して保管、持ち運びできるので便利である。
【００２６】
【発明の効果】
請求項１記載の本発明の釣仕掛用コマセカゴ一体型テンビンは、テンビンの支軸部の下端に連結部材を介さずにコマセカゴが直に接続されて一体化されているので、コマセカゴがテンビンに絡まりにくくなり、又、コマセカゴが魚信のような紛らわしい反動を起こしにくくなって魚のアタリを感知しやすくなり、さらに、コマセカゴが着底したときに根に引っ掛かって破損しにくくなる等の効果がある。
また、請求項２記載の本発明の釣仕掛用コマセカゴ一体型テンビンは、コマセカゴがテンビンに対し回転自在とされたことにより、コマセカゴの窓孔からどの方向へも撒き餌を放出させることができる。
また、請求項３記載の本発明の釣仕掛用コマセカゴ一体型テンビンは、テンビンの軸部の下端に連結部材を介さずにコマセカゴを直に接続して一体化するのが容易となり、かつ、コマセカゴをテンビンに対し容易に回転自在とすることができる。
また、請求項４記載の本発明の釣仕掛用コマセカゴ一体型テンビンは、球体を用いたことにより、コマセカゴをテンビンに対し回転しやすくすることができる。
また、請求項５記載の本発明の釣仕掛用コマセカゴ一体型テンビンは、スプリングを用いたことにより、テンビン１の軸部２にかかる負荷を緩和することができる。
また、請求項６記載の本発明の釣仕掛用コマセカゴ一体型テンビンは、補強線材を軸部に添えることにより、テンビンの耐久性を向上させることができる。
【図面の簡単な説明】
【図１】第１実施例の断面図である。
【図２】第２実施例の断面図である。
【図３】第３実施例の断面図である。
【図４】従来例の側面図である。
【符号の説明】
１  テンビン
２  軸部
３  腕部
４  リング部
５  リング部
６  連結具
７  コマセカゴ
８  窓孔
９  蓋
１０  オモリ
１１  天板部
１２  孔
１３  座金
１４  球体
１５  スプリング
１６  補強線材
１７  被覆部材
【図１】
2004187541.tif 000003
【図２】
2004187541.tif 000004
【図３】
2004187541.tif 000005
【図４】
2004187541.tif 000006